(57)【要約】【課題】従来の医療用複室容器では、薬剤を混合乃至溶解するための注意を喚起するに止まり、弱シール部が剥離し収納部どうしが連通していない状態でも医療用複室容器を使用することができるため、混合されていない薬剤を投与してしまう危険を確実に回避することは不可能である。【解決手段】収納部５の中央が押されると、収納部５の粘着シール２１が貼られている部分が膨らんで、粘着シール２１に収納部５の表面から剥離させる方向の力が発生する。また、収納部５が膨らむことによって後フラップ１１を持ち上げる力が発生し、これによっても粘着シール２１に収納部５の表面から剥離させる方向の力が発生する。そして、収納部５に弱シール部９を剥離する力が加わると、粘着シール２１が収納部５の表面から剥がれて、後フラップ１１が仮想線で示す姿勢となり、掛吊穴１３が使用可能状態となる。【選択図】        図１
2005218661.tif 000002
【特許請求の範囲】
【請求項１】
少なくとも１つに液状薬剤が収納された複数の収納部と、前記収納部を仕切っていて外部から圧力を加えることにより剥離し得る弱シール部と、容器本体を吊り下げるための掛吊穴と、前記容器本体に取り付けられ収納部に連通する薬液取出口とを備えており、前記弱シール部を剥離して複数の収納部どうしを連通させて収納部に収納されている薬剤を混合する医療用複室容器において、前記掛吊穴と薬液取出口の少なくとも一方を使用不可能状態に保つ保持部材を備えて、前記保持部材は収納部に弱シール部が剥離して収納部どうしが連通する圧力が加わると使用不可能状態が解除されて前記掛吊穴と薬液取出口の両方が使用可能状態になるものであることを特徴とする医療用複室容器。
【請求項２】
請求項１に記載した医療用複室容器において、保持部材は掛吊穴と薬液取出口の少なくとも一方を使用不可能な姿勢で容器本体に固定する粘着シールであり、前記シールは外部から弱シール部が剥離して収納部どうしが連通する圧力が加わると容器本体から剥がれる粘着力で容器本体に固定されていることを特徴とする医療用複室容器。
【請求項３】
請求項１に記載した医療用複室容器において、保持部材は外部から弱シール部が剥離して収納部どうしが連通する圧力が加わると、その一部が破断して使用不可能状態が解除されて前記掛吊穴と薬液取出口の両方が使用可能状態になるものであることを特徴とする医療用複室容器。
【請求項４】
請求項１〜３のいずれかに記載した医療用複室容器において、保持部材は前記弱シール部を剥離して複数の収納部どうしを連通させ薬剤の混合を促す表示を有するものであることを特徴とする医療用複室容器。
【請求項５】
請求項１〜４のいずれかに記載した医療用複室容器において、保持部材は１つで掛吊穴と薬液取出口の両方を使用不可能な姿勢で容器本体に固定するものであることを特徴とする医療用複室容器。
【請求項６】
請求項１〜５のいずれかに記載した医療用複室容器において、保持部材は容器本体のほぼ全長に渡る大きさ有しており、前記保持部材の表面のほぼ全体に渡るように薬剤の混合を促す表示が記載されていることを特徴とする医療用複室容器。
【発明の詳細な説明】
【技術分野】
【０００１】
本発明は医療用複室容器に係り、特に外部からの圧力により剥離する弱シール部によって仕切られた複数の収納部を有する医療用複室容器に関するものである。
【背景技術】
【０００２】
静脈注射により患者に投与する薬液の中には、予め配合すると経時的に変化する不安定なものがある。このような薬液は配合前の成分を弱シール部によって仕切られた複数の収納部に個別に収納する医療用複室容器が用いられることが多い。この医療用複室容器は、外部から圧力を加えることにより弱シール部を剥離させ、収納部どうしを連通させて薬剤どうしを混合する。そして、掛吊穴にフックを掛けて、容器本体を吊り下げた状態として、薬液取出口を塞ぐゴム栓にカテーテルに接続された刺栓針を刺し込み、カテーテルの先端に取り付けられた注射針から患者に投与する。
【０００３】
ところが医療用複室容器に外部から圧力を加えるのをうっかり忘れてしまい、弱シール部を剥離せずに混合されていない薬剤を投与してしまう危険性がある。そこで特許文献１に記載された医療用複室容器が提案されている。この医療用複室容器は、掛吊穴を塞ぐように貼付される剥離可能な開通確認用シールを備え、この開通確認用シールは薬剤の混合を促す表示部を有して、医療用複室容器中の薬剤を確実に溶解乃至混合するための注意喚起効果を発揮しようとするものである。
【０００４】
【特許文献１】実用新案登録第３０７４８８５号公報
【発明の開示】
【発明が解決しようとする課題】
【０００５】
しかしながら、上記従来の医療用複室容器では、薬剤を混合乃至溶解するための注意を単に喚起するに止まり、弱シール部が剥離し収納部どうしが連通していない状態でも医療用複室容器を使用することができるため、混合されていない薬剤を投与してしまう危険を確実に回避することは不可能である。
【課題を解決するための手段】
【０００６】
本発明は上記課題を解決するためになされたものであり、請求項１の発明は、少なくとも１つに液状薬剤が収納された複数の収納部と、前記収納部を仕切っていて外部から圧力を加えることにより剥離し得る弱シール部と、容器本体を吊り下げるための掛吊穴と、前記容器本体に取り付けられ収納部に連通する薬液取出口とを備えており、前記弱シール部を剥離して複数の収納部どうしを連通させて収納部に収納されている薬剤を混合する医療用複室容器において、前記掛吊穴と薬液取出口の少なくとも一方を使用不可能状態に保つ保持部材を備えて、前記保持部材は収納部に弱シール部が剥離して収納部どうしが連通する圧力が加わると使用不可能状態が解除されて前記掛吊穴と薬液取出口の両方が使用可能状態になるものであることを特徴とする医療用複室容器である。
【０００７】
請求項２の発明は、請求項１に記載した医療用複室容器において、保持部材は掛吊穴と薬液取出口の少なくとも一方を使用不可能な姿勢で容器本体に固定する粘着シールであり、前記シールは外部から弱シール部が剥離して収納部どうしが連通する圧力が加わると容器本体から剥がれる粘着力で容器本体に固定されていることを特徴とする医療用複室容器である。
【０００８】
請求項３の発明は、請求項１に記載した医療用複室容器において、保持部材は外部から弱シール部が剥離して収納部どうしが連通する圧力が加わると、その一部が破断して使用不可能状態が解除されて前記掛吊穴と薬液取出口の両方が使用可能状態になるものであることを特徴とする医療用複室容器である。
【０００９】
請求項４の発明は、請求項１〜３のいずれかに記載した医療用複室容器において、保持部材は前記弱シール部を剥離して複数の収納部どうしを連通させ薬剤の混合を促す表示を有するものであることを特徴とする医療用複室容器である。
【００１０】
請求項５の発明は、請求項１〜４のいずれかに記載した医療用複室容器において、保持部材は１つで掛吊穴と薬液取出口の両方を使用不可能な姿勢で容器本体に固定するものであることを特徴とする医療用複室容器である。
【００１１】
請求項６の発明は、請求項１〜５のいずれかに記載した医療用複室容器において、保持部材は容器本体のほぼ全長に渡る大きさ有しており、前記保持部材の表面のほぼ全体に渡るように薬剤の混合を促す表示が記載されていることを特徴とする医療用複室容器である。
【発明の効果】
【００１２】
本発明の医療用複室容器では、弱シール部が剥離し収納部どうしが連通して、薬剤を混合しなければ、掛吊穴と薬液取出口の少なくとも一方を使用することができないので、混合されていない薬剤を投与してしまう危険を確実に回避することができるようになる。
【発明を実施するための最良の形態】
【００１３】
弱シール部が剥離し収納部どうしが連通して、薬剤を混合しなければ、掛吊穴と薬液取出口の少なくとも一方が使用不可能状態となっているので、混合されていない薬剤を投与してしまう危険を確実に回避することができる医療用複室容器を実現した。
【実施例１】
【００１４】
本発明の実施例１に係る医療用複室容器１を、図１、図２にしたがって説明する。
符号３は容器本体を示し、この容器本体３には収納部５、７が設けられている。収納部５と収納部７との間には弱シール部９が形成され（図２参照）、収納部５、７の周囲の弱シール部９以外の部分には強シール部が形成されている。弱シール部９は強シール部よりも小さな所定の力で剥離するように設定されている。
【００１５】
容器本体３は後端側に後フラップ部１１を有し、この後フラップ部１１には掛吊穴１３が形成されている。また容器本体３は前端側に前フラップ部１５を有し、この前フラップ部１５には薬液取出口１７が取り付けられている。薬液取出口１７は収納部７に連通し、開口がゴム栓によって塞がれている。
収納部５には液状の薬剤Ｍ１が収納され、収納部７には液状の薬剤Ｍ２が収納されている。
後フラップ部１１は収納部５に向かって折られており、保持部材としての粘着シール２１によって収納部５に固定されている。粘着シール２１は、その表面に「開通していますか？」の文字から成る表示を有している。即ち、粘着シール２１は複数の収納部どうしを連通させ薬剤の混合を促す表示を有している。なお、粘着シール２１は掛吊穴１３を覆わない位置に貼り付けられている。
【００１６】
次に、この医療用複室容器１の使用方法について説明する。
使用前においては上記したように、後フラップ部１１は収納部５に向かって折られて粘着シール２１によって収納部５に固定されている。従って、掛吊穴１３はフックを掛けることができない使用不可能な姿勢に固定され、掛吊穴１３は使用不可能状態となっている。
まず、医療用複室容器１を平らなテーブルの上等に置き、収納部５の中央を手で押して、図１において白抜きの矢印で示すように収納部５に外部から圧力を加える。この圧力は収納部５内の液状の薬剤Ｍ１を介して弱シール部９に伝えられ、弱シール部９が剥離する。これにより収納部５と収納部７とが連通して、薬剤Ｍ１と薬剤Ｍ２とが混合される。なお、薬液取出口１７は使用可能な姿勢となっている。
【００１７】
上記のように収納部５の中央が押されると、収納部５の粘着シール２１が貼られている部分が膨らんで、粘着シール２１に収納部５の表面から剥離させる方向の力が発生する。また、収納部５が膨らむことによって後フラップ１１を持ち上げる力が発生し、これによっても粘着シール２１に収納部５の表面から剥離させる方向の力が発生する。そして、収納部５に弱シール部９が剥離する力が加わると、粘着シール２１が収納部５の表面から剥がれて、後フラップ１１が図１において仮想線で示す姿勢となり、掛吊穴１３が使用可能状態となる。
【００１８】
掛吊穴１３が使用可能状態となったところで、掛吊穴１３にフックを掛けて、容器本体３を吊り下げた状態として、薬液取出口１７を塞ぐゴム栓に図示しないカテーテルに接続された刺栓針を刺し込み、カテーテルの先端に取り付けられた注射針から患者に投与する。
このように、収納部５に弱シール部９が剥離する力が加えられて収納部５と収納部７とが連通して薬剤Ｍ１と薬剤Ｍ２とが混合されないと、粘着シール２１が収納部５から剥がれず、掛吊穴１３にフックを通すことができない。従って、薬剤Ｍ１と薬剤Ｍ２とが混合されてから患者に投与されることになる。
【実施例２】
【００１９】
図３によって実施例２に係る医療用複室容器２３を説明する。
医療用複室容器２３は実施例１に係る医療用複室容器１と同様の構成部分を有するので、同様の構成部分については実施例１と同じ符号を付し、また符号を引用して説明を省略し、異なる構成部分についてのみ説明する。このことは実施例３から実施例６についても適用する。
【００２０】
医療用複室容器２３の前フラップ部１５は収納部７に向かって折られており、保持部材としての粘着シール２５によって収納部７に固定されている。従って、薬液取出口１７から薬剤を取り出すことができない使用不可能な姿勢に固定されており、薬液取出口１７は使用不可能状態となっている。粘着シール２５は、その中央部が薬液取出口１７に貼られて、左右の両端部分が収納部７の表面に貼られており、薬液取出口１７の先端部には粘着シール２５が被らない状態となっている。また、粘着シール２５は、その表面に「開通していますか？」の文字から成る表示を有している。
【００２１】
この医療用複室容器２３では、実施例１に係る医療用複室容器１と同様にして収納部５に外部から圧力を加えて弱シール部９を剥離すると、収納部５内の薬剤Ｍ１が収納部７へ流入して薬剤Ｍ２と混合される。薬剤Ｍ１が収納部７へ流入すると収納部７が膨らみ、粘着シール２５に収納部７の表面から剥離させる方向の力が発生する。また、収納部７が膨らむことによって前フラップ１５を持ち上げる力が発生し、これによっても粘着シール２５に収納部７の表面から剥離させる方向の力が発生する。そして、粘着シール２５が収納部７の表面から剥がれて、前フラップ１５が仮想線で示す姿勢となり、薬液取出口１７が使用可能状態となる。これにより掛吊穴１３と薬液取出口１７の両方が使用可能状態となる。
【実施例３】
【００２２】
図４によって実施例３に係る医療用複室容器２７を説明する。
医療用複室容器２７の後フラップ部１１は収納部５に向かって折られており、保持部材としての粘着シール２９によって収納部５に固定されている。粘着シール２９は、その表面に「開通していますか？」の文字、記号から成る表示を有している。粘着シール２９にはミシン目３１が形成されている。なお、粘着シール２９は、後述するように収納部５の中央が押されて膨らんだ程度では収納部５の表面から剥離しない粘着力で収納部５の表面に貼られている。
【００２３】
この医療用複室容器２７は、実施例１に係る医療用複室容器１と同様にして収納部５に外部から圧力が加えられると収納部５が膨らみ、これによって後フラップ１１を持ち上げる力が発生する。そして、収納部５に弱シール部９を剥離する力が加わると、粘着シール２９がミシン目３１の部分からに破断して、後フラップ１１が仮想線で示す姿勢となり、掛吊穴１３が使用可能状態となる。このように粘着シール２９のミシン目３１の部分は、収納部５に弱シール部９を剥離する力が加わると破断する強度に設定されている。
【実施例４】
【００２４】
図５によって実施例４に係る医療用複室容器３３を説明する。
医療用複室容器３３の前フラップ部１５は収納部７に向かって折られており、保持部材としての粘着シール３５によって収納部７に固定されている。従って、薬液取出口１７から薬剤を取り出すことができない姿勢となっており、薬液取出口１７は使用不可能状態となっている。粘着シール３５は、その中央部が薬液取出口１７に貼られて、左右の両端部分が収納部７の表面に貼られており、薬液取出口１７の先端部には粘着シール３５が被らない状態となっている。粘着シール３５の中央部と左右の両端部分との境界にはミシン目３７、３９が形成されている。
【００２５】
この医療用複室容器３３では、収納部５を押して弱シール部９を剥離すると、収納部５内の薬剤Ｍ１が収納部７へ流入して薬剤Ｍ２と混合される。薬剤Ｍ１が収納部７へ流入すると収納部７が膨らみ、粘着シール２５に収納部７の表面から剥離させる方向の力が発生する。また、収納部７が膨らむことによって薬液取出口１７と前フラップ１５を持ち上げる力が発生する。そして、粘着シール３５がミシン目３７、３９の部分から破断して、前フラップ１５が仮想線で示す姿勢となり、薬液取出口１７が使用可能状態となる。このように粘着シール３５のミシン目３７、３９の部分は、弱シール部９が剥離して薬剤Ｍ１が収納部７へ流入し、収納部７が膨らむと破断する強度に設定されている。
【実施例５】
【００２６】
図６によって実施例５に係る医療用複室容器４１を説明する。
医療用複室容器４１の後フラップ部１１は収納部５に向かって折られており、保持部材としての粘着シール４３によって収納部５に固定されている。粘着シール４３は、容器本体３表面のほぼ全長に渡る大きさを有している。粘着シール４３は、その表面に「開通していますか？」の文字、記号から成る表示を有しており、この表示は粘着シール４３の表面のほぼ全体に渡るように記載されている。また、粘着シール４３にはミシン目４５が形成されている。
【００２７】
この医療用複室容器４１は、粘着シール４３が容器本体３の表面のほぼ全長に渡る大きさで、しかも粘着シール４３の表面のほぼ全体に渡るように複数の収納部どうしを連通させ薬剤の混合を促す表示が記載されているので、極めて高い注意喚起効果を奏することになる。
また、医療用複室容器４１は実施例３に係る医療用複室容器２７と同様にしてミシン目４５の部分で破断して、掛吊穴１３を使用不可能状態から使用可能状態とする。
【実施例６】
【００２８】
図７によって実施例６に係る医療用複室容器４７を説明する。
医療用複室容器４７の後フラップ部１１は収納部５に向かって折られ、また前フラップ部１５は収納部７に向かって折られている。そして、保持部材としての粘着シール４９によって後フラップ部１１が収納部５の表面に、前フラップ部１５及び薬液取出口１７が収納部７の表面に固定されている。従って、１つの粘着シール４９によって掛吊穴１３と薬液取出口１７の両方が使用不可能状態とされている。
【００２９】
粘着シール４９は、容器本体３表面のほぼ全長に渡る大きさを有している。粘着シール４９は、その表面に「開通していますか？」の文字、記号から成る表示を有しており、この表示は粘着シール４９の表面のほぼ全体に渡るように記載されている。また、粘着シール４９にはミシン目５１、５３が形成されており、ミシン目５１は折られている後フラップ部１１の先端部よりやや収納部５の中央寄りに設けられ、ミシン目５３は使用不能な姿勢の薬液取出口１７に対しやや収納部７の中央寄り設けられている。
【００３０】
この医療用複室容器４７は、収納部５に外部から圧力が加えられると、収納部５が膨らみ、これによって後フラップ１１を持ち上げる力が発生する。そして、収納部５に弱シール部９が剥離する力が加わると、粘着シール４９がミシン目５１の部分から破断して、後フラップ１１が仮想線で示す姿勢となり、掛吊穴１３が使用可能状態となる。
また、収納部５を押して弱シール部９を剥離すると、収納部５内の薬剤Ｍ１が収納部７へ流入して薬剤Ｍ２と混合される。薬剤Ｍ１が収納部７へ流入すると収納部７が膨らむことによって薬液取出口１７と前フラップ１５を持ち上げる力が発生する。そして、粘着シール４９がミシン目５３の部分からに破断して、前フラップ１５が仮想線で示す姿勢となり、薬液取出口１７が使用可能状態となる。
【００３１】
このように粘着シール４９のミシン目５１の部分は、収納部５に弱シール部９が剥離する力が加わると破断する強度に設定されている。また、ミシン目５３の部分は、弱シール部９が剥離して薬剤Ｍ１が収納部７へ流入し、収納部７が膨らむと破断する強度に設定されている。
さらに医療用複室容器４７は、実施例５に係る医療用複室容器４１と同様に、複数の収納部どうしを連通させ薬剤の混合を促す表示が極めて高い注意喚起効果を奏する。
【００３２】
以上、本発明の実施例について詳述してきたが、具体的構成は、この実施例に限られるものではなく、本発明の要旨を逸脱しない範囲における設計の変更などがあっても発明に含まれる。
例えば、上記実施例ではミシン目３１、３７、３９、４５、５１、５３を形成し、このミシン目部分から破断するようにしたが、ミシン目の代わりに粘着シールを部分的に薄くして強度の低い部分を形成し、この薄い部分が破断する構成としてもよい。
【００３３】
また、複数の収納部どうしを連通させ薬剤の混合を促す表示は「開通していますか？」以外の文字、記号等によって構成してもよい。なお、複数の収納部どうしを連通させ薬剤の混合を促す表示を設けない構成とすることも可能である。
上記実施例では、２つの収納部を備えた医療用複室容器を示したが、本発明はこれに限定されず、３つ以上の収納部を備えた医療用複室容器に適用してもよい。また、上記実施例では、全ての収納部に液状の薬剤を入れた例を示したが、少なくとも１つの収容部に液状の薬剤が入れられていればよく、液状の薬剤が入れられている収容部以外の収容部には粉末状、粒状等の液状以外の薬剤を入れてもよい。
【図面の簡単な説明】
【００３４】
【図１】本発明の実施例１に係る医療用複室容器の斜視図である。
【図２】図１のＡ−Ａ断面図である。
【図３】本発明の実施例２に係る医療用複室容器の斜視図である。
【図４】本発明の実施例３に係る医療用複室容器の斜視図である。
【図５】本発明の実施例４に係る医療用複室容器の斜視図である。
【図６】本発明の実施例５に係る医療用複室容器の斜視図である。
【図７】本発明の実施例６に係る医療用複室容器の斜視図である。
【符号の説明】
【００３５】
１、２３、２７、３３、４１、４７  医療用複室容器
２１、２５、２９、３５、４３、４９  粘着シール
５、７収納部      ９  弱シール部      １１  後フラップ
１３  掛吊穴      １５  前フラップ      １７  薬液取出口
３１、３７、３９、４５、５１、５３  ミシン目
【図１】
2005218661.tif 000003
【図２】
2005218661.tif 000004
【図３】
2005218661.tif 000005
【図４】
2005218661.tif 000006
【図５】
2005218661.tif 000007
【図６】
2005218661.tif 000008
【図７】
2005218661.tif 000009